(57)【要約】【課題】コネクタとケーブルを固定することができ、ケーブルやコネクタに外力が加わってもケーブルから引き出されコネクタに接続されている電線部分に曲げ応力や引張り応力が生じないようにする。【解決手段】コネクタ用固定具１は、コネクタ固定部１１と、このコネクタ固定部１１の両端部に位置する一対のケーブル固定部１２、１２および本体取付用固定部２０を一体に有し、本体取付用固定部２０が基板２の取付面２ａに止め具６によって固定される。ケーブル固定部１１の上面は、コネクタ載置面１４を形成し、結束バンド９Ａによってコネクタ４Ａ、４Ｂが固定されている。ケーブル固定部１２、１２の上面は、ケーブル固定面３０を形成し、結束バンド９Ｂによってケーブル３Ａ、３Ｂの端部がそれぞれ固定されている。【選択図】        図２
2010146888.tif 000002
【特許請求の範囲】
【請求項１】
コネクタ固定部と、このコネクタ固定部の両端部に位置する一対のケーブル固定部および本体取付用固定部を一体に有し、
前記コネクタ固定部は、平板状に形成され、上面にコネクタ載置面を形成し、下面にコネクタを固定するための結束バンドの移動を規制するバンド規制子が設けられ、
前記ケーブル固定部は、前記コネクタ固定部より上方に突出する突起で構成され、その上面にケーブル固定面を形成し、このケーブル固定面の下側にケーブルを固定するための結束バンドが挿通される挿通孔が設けられているコネクタ用固定具。
【請求項２】
請求項１記載のコネクタ用固定具において、
前記コネクタ固定部の両端部に、前記ケーブル固定部をコネクタ載置面から離間させる延在部が一体に設けられているコネクタ用固定具。
【請求項３】
請求項２記載のコネクタ用固定具において、
前記本体取付用固定部は、前記延在部またはケーブル固定部の側縁で幅方向中心線から幅方向にずれた位置に一体に突設された取付片を備えているコネクタ用固定具。
【発明の詳細な説明】
【技術分野】
【０００１】
本発明は、コネクタ用固定具に関し、さらに詳しくはケーブルどうしを電気的に接続するコネクタをケーブルとともに筐体や基板などの装置側取付部に固定するためのコネクタ用固定具に関するものである。
【背景技術】
【０００２】
電気機器などにおいてケーブル（電線ケーブル）どうしを接続するコネクタを電気機器の筐体や基板などの装置側取付部に固定するコネクタ用固定具としては、例えば特許文献１、２に開示されているコネクタ用固定具が知られている。
【０００３】
特許文献１に開示されているコネクタ用固定具は、コネクタを取付方向に係止する第１の係止部と、コネクタを取外方向に係止する第２の係止部と、コネクタを取付方向および取外方向と直角方向に係止する第３の係止部と、コネクタを取付方向に係止する第４の係止部とを設けることによりコネクタを確実に固定し、コネクタに加えられる取付方向への力を第１および第４の係止部に分担させることによって力が第１の係止部に集中することを防止するとともに、第３の係止部が変形することを防止するようにしている。
【０００４】
特許文献２に記載されているコネクタ用固定具は、抜け止め構造を持たない雄型コネクタと雌型コネクタの離脱を防止するためのもので、一方のコネクタの側部に沿って略並行に配設されるとともに、この一方のコネクタの嵌合方向前方に突出して設けられ、他方のコネクタに、その嵌合方向において係合、離脱する一対の係合片と、この一対の係合片を相互に接近させるように付勢し、他方のコネクタに係合させる付勢部材とを備えている。
【０００５】
この他、コネクタおよびケーブルの接続部を覆い保護するようにしたコネクタカバー（例えば、特許文献３参照）や、ケーブルを固定するケーブル用固定具（例えば、特許文献４）も知られている。
【０００６】
【特許文献１】特開平７−２２６２６５号公報
【特許文献２】特開２０００−１７３７１３号公報
【特許文献３】特開２００７−０１８８９４号公報
【特許文献４】特開２００３−２２４３７７号公報
【発明の開示】
【発明が解決しようとする課題】
【０００７】
上記したように従来のコネクタ用固定具は、単にコネクタのみを固定しているため、電気機器を移動させたり、配線時にケーブルを変形させて引き回すと、ケーブルに外力が加わる。このため、ケーブルから引き出されコネクタに接続されている電線部分に曲げ応力や引張り応力が生じ、このような応力が繰り返し生じると、電線が金属疲労により断線したり、コネクタのピンが接触不良するおそれがあった。
【０００８】
そこで、ケーブルについても固定する必要がある場合は、ケーブル用固定具を別途用意して固定する必要がある。しかし、そうすると２種類の固定具が必要で、部品点数、取付工数等が増加するという問題が生じる。
【０００９】
コネクタカバーによってコネクタとケーブルを固定保持する構造では、コネクタの大きさや形状とケーブルの径に適合した専用のコネクタカバーを多種類用意する必要があるため、その製造、管理が煩わしく、高価になるという問題があった。
【００１０】
本発明は上記した従来の問題を解決するためになされたもので、その目的とするところは、コネクタとケーブルの双方を固定することができ、ケーブルやコネクタに外力が加わってもケーブルから引き出されコネクタに接続されている電線部分に曲げ応力や引張り応力が生じず、電線の断線およびコネクタのピンの接触不良を防止するようにしたコネクタ用固定具を提供することにある。また、コネクタの大きさ、形状やケーブルの径が異なる場合でも対応できる汎用性を有するコネクタ用固定具を提供することにある。
【課題を解決するための手段】
【００１１】
上記目的を達成するために本発明は、コネクタ固定部と、このコネクタ固定部の両端部に位置する一対のケーブル固定部および本体取付用固定部を一体に有し、前記コネクタ固定部は、平板状に形成され、上面にコネクタ載置面を形成し、下面にコネクタを固定するための結束バンドの移動を規制するバンド規制子が設けられ、前記ケーブル固定部は、前記コネクタ固定部より上方に突出する突起で構成され、その上面にケーブル固定面を形成し、このケーブル固定面の下側にケーブルを固定するための結束バンドが挿通される挿通孔を設けたものである。
【００１２】
また、本発明は、上記発明において、前記コネクタ固定部の両端部に、前記ケーブル固定部をコネクタ載置面から離間させる延在部を一体に設けたものである。
【００１３】
さらに、本発明は、上記発明において、前記本体取付用固定部が、前記延在部またはケーブル固定部の側縁で幅方向中心線から幅方向にずれた位置に一体に突設された取付片を備えているものである。
【発明の効果】
【００１４】
本発明においては、コネクタ固定部とケーブル固定部とを備えているので、コネクタとケーブルとを１つの固定具と市販の結束バンドとによって固定することができるから、低廉なコネクタ用固定具を提供できる。また、コネクタの大きさや形状およびケーブルの径が異なる場合であっても、一種類のコネクタ用固定具で対応できるから、工事費等の低減が図れる。コネクタ固定部のバンド規制子は、結束バンドの遊動を規制する。ケーブル固定部の挿通孔は、結束バンドの取付部を構成する。
【００１５】
コネクタ固定部の両端部に設けられた延在部の上方空間は、ケーブルから引き出されコネクタに接続される電線部分の配線引き回し空間を形成する。
【００１６】
本体取付用固定部の取付片は、延在部またはケーブル固定部の側縁で幅方向中心線から幅方向にずれた位置に突設されているので、この取付片を装置側取付部に固定手段によって固定する際、固定手段とコネクタまたはケーブルが干渉せず、コネクタ用固定具の取付けを容易にする。
【発明を実施するための最良の形態】
【００１７】
以下、本発明を図面に示す実施の形態に基づいて詳細に説明する。
図１は本発明に係るコネクタ用固定具の使用態様を示し、コネクタとケーブルを結束バンドで固定する直前の状態を示す外観斜視図、図２は同じくコネクタとケーブルを結束バンドで固定した状態を示す外観斜視図、図３はコネクタ用固定具の外観斜視図、図４はコネクタ用固定具の平面図、図５はコネクタ用固定具の正面図、図６はコネクタ用固定具の底面図、図７は図４のＡ−Ａ線断面図、図８はコネクタ用固定具を止め具によって基板に固定するときの様子を示す斜視図、図９はコネクタ用固定具を止めねじによって基板に固定するときの様子を示す外観斜視図、図１０はコネクタ用固定具を結束バンドによって装置側取付部に固定した状態を示す外観斜視図である。
【００１８】
図１〜図７において、１はコネクタ用固定具、２はコネクタ用固定具１が取付けられる装置側取付部としての基板、３Ａ、３Ｂはケーブル、４Ａ、４Ｂは各ケーブル３Ａ、３Ｂの一端から剥き出された電線部分５Ａ、５Ｂにそれぞれ取付けられた雄型と雌型のコネクタで、これらのコネクタ４Ａ、４Ｂは互いに接続され、コネクタ用固定具１にケーブル３Ａ、３Ｂとともに固定されている。
【００１９】
ここで、図１、図２および図８に示す使用の形態においては、コネクタ用固定具１を基板２に固定するための固定手段として、市販品からなる２つの止め具６を用い、コネクタ用固定具１にコネクタ４Ａ、４Ｂとケーブル３Ａ、３Ｂを固定するための固定手段として、広く市販されている結束バンド（ケーブルバンド）９Ａ、９Ｂ、９Ｃを用いた例を示している。
【００２０】
図１〜図７において、前記コネクタ用固定具１は、合成樹脂の成形によって一体に形成されたもので、本体（本体部）１Ａと、この本体部１Ａを基板２の取付面２ａに固定するための本体取付用固定部２０とを備えている。本体部１Ａは、コネクタ固定部１１と、このコネクタ固定部１１の長手方向両端部にそれぞれ上方に向かって突設された略箱型の突起体からなる一対のケーブル固定部１２、１２とで構成されている。
【００２１】
前記コネクタ固定部１１は、ケーブル３Ａ、３Ｂの軸線方向に長い平板状に形成され、中央部がコネクタ４Ａ、４Ｂの載置部１１Ａを形成し、その両側に前記ケーブル固定部１２を載置部１１Ａから所要距離離間させる延在部１１Ｂ、１１Ｂが一体に設けられている。言い換えれば、コネクタ固定部１１は、載置部１１Ａと、この載置部１１Ａの両側にそれぞれ延設された一対の延在部１１Ｂ、１１Ｂとからなり、各延在部１１Ｂ、１１Ｂの外側縁に前記ケーブル固定部１２、１２がそれぞれ一体に突設されたものである。
【００２２】
コネクタ固定部１１の載置部１１Ａは、上面がコネクタ４Ａ、４Ｂが載置されるコネクタ載置面１４を形成し、下面が延在部１１Ｂ、１１Ｂの下面およびケーブル固定部１２、１２の下面より上方に位置することにより、基板２にコネクタ用固定具１を取付けたとき、その取付面２ａから離間しており、これにより基板２の取付面２ａと載置部１１Ａの下面１５との間にコネクタ固定用の結束バンド９Ａを挿通させるための挿通空間１６が形成されている。また、載置部１１Ａの下面１５には、前記結束バンド９Ａの幅方向の移動を規制する複数のバンド規制子１７が、コネクタ固定部１１の長手方向に結束バンド９Ａの幅と略等しい間隔を保って平行に垂設されている。なお、バンド規制子１７は、連続した突条に形成したが、要は結束バンド９Ａの遊動を規制するためのものであるから、連続した突条に限らず複数の突子であってもよい。
【００２３】
前記延在部１１Ｂ、１１Ｂは、それぞれ平板状に形成されてはいるが、上面が載置部１１Ａのコネクタ載置面１４より一段低く形成され、下面が基板２の取付面２ａに接触している。これらの延在部１１Ｂ、１１Ｂの上方空間は、ケーブル３Ａ、３Ｂの絶縁被覆から剥き出されてコネクタ４Ａ、４Ｂにそれぞれ接続される電線部分５Ａ、５Ｂの配線引き回し空間１８（図５）をそれぞれ形成している。
【００２４】
また、各延在部１１Ｂ、１１Ｂには、前記本体取付用固定部２０がそれぞれ一体に突設されている。この本体取付用固定部２０は、各延在部１１Ｂ、１１Ｂの幅方向側縁でかつ互いに反対側の側縁にそれぞれ突設された平面視半円状の取付片２１と、この取付片２１の中央に形成された挿通孔２２（図３）を有し、前記挿通孔２２および基板２に設けた挿通孔２３（図８）に前記止め具６を挿通して挿通孔２３に係止することにより、コネクタ用固定具１が基板２に着脱可能に固定される。取付片２１を延在部１１Ｂの幅方向側縁に突設した理由は、コネクタ用固定具１の幅方向における中心線Ｌ（図４）から取付片２１を幅方向にずらすことにより、止め具６を挿通孔２２、２３に挿通するとき、止め具６がコネクタ４Ａ、４Ｂやケーブル３Ａ、３Ｂの電線部分５Ａ、５Ｂに当たらないようにするためである。この場合、本実施の形態においては、２つの取付片２１を各延在部１１Ｂ、１１Ｂの互いに反対側の幅方向側縁にそれぞれ突設した例を示したが、これに限らず、コネクタ用固定具１の大きさによっては、各延在部１１Ｂ、１１Ｂの両側縁にそれぞれ１つずつ、合計４つの取付片２１を突設してもよい。
【００２５】
前記ケーブル固定部１２は、図３に示すようにコネクタ用固定具１の長手方向に所定の間隔を保って平行に対向する左右一対の側壁板１２Ａ、１２Ｂと、これらの側壁板１２Ａ、１２Ｂの上端を互いに連結する前後一対の連結片１２Ｃ、１２Ｄと、同じく側壁板１２Ａ、１２Ｂの下端部を連結する底板１２Ｅとで前後に開放する側面視台形の箱型突起で構成されている。側壁板１２Ａ、１２Ｂの上面中央部は、ケーブル３Ａ（３Ｂ）の端部を固定するためのケーブル固定面３０を形成している。ケーブル固定面３０は、前後一対の連結片１２Ｃと１２Ｄの間の部分で、Ｖ字状の面からなり、これによりケーブル３Ａ（３Ｂ）を位置決めし、その軸線をコネクタ用固定具１の幅方向中心線Ｌ（図４）と一致させるようにしている。ケーブル固定面３０の下側には、ケーブル固定用の結束バンド９Ｂが挿通される挿通孔３１が設けられている。この挿通孔３１は、側壁板１２Ａ、１２Ｂ、連結片１２Ｃ、１２Ｄおよび底板１２Ｅによって囲まれた穴で構成することにより、コネクタ用固定具１の前後に開放している。
【００２６】
このような構造からなるコネクタ用固定具１において、ケーブル３Ａ、３Ｂおよびコネクタ４Ａ、４Ｂを固定する際には、第１の方法として先ずコネクタ用固定具１を基板２に固定する。すなわち、コネクタ用固定具１を基板２の取付面２ａに載置し、取付片２１の挿通孔２２を基板２に設けた挿通孔２３に一致させる。そして、止め具６を挿通孔２２、２３に挿入して挿通孔２３に係止することにより、コネクタ用固定具１を基板２の取付面２ａに固定する。
【００２７】
この場合、止め具６の代わりに止めねじを用いることも可能であり、その場合は図９に示すように止めねじ４０を同じくコネクタ用固定具１の挿通孔２２に挿通し、基板２に設けたねじ孔または基板２の挿通孔に挿通した後、基板２が固定されているフレームに設けたねじ孔にねじ込むことにより、コネクタ用固定具１を基板２に固定すればよい。
【００２８】
また、止め具６や止めねじ４０の代わりにリベットや結束バンドによって固定することも可能である。リベットを用いて固定する場合は、止め具６や止めねじ４０と同様にコネクタ用固定具１と基板２の挿通孔２２、２３にリベットを挿通してその先端部をかしめればよい。
【００２９】
結束バンドを用いて固定する場合は、図１０に示すように、コネクタ用固定具１が取付けられる装置側取付部が棒状や型材等からなる固定部材４１である場合に用いて好適である。このときは、結束バンド９Ｃを各ケーブル固定部１２の挿通孔３１に挿通してケーブル固定部１２を固定部材４１に結束すればよい。
【００３０】
コネクタ用固定具１の装置側取付部への取付が終了すると、ケーブル３Ａ、３Ｂとコネクタ４Ａ、４Ｂをコネクタ用固定具１に固定する。すなわち、ケーブル３Ａ、３Ｂの固定に際しては、図１に示すようにケーブル３Ａ、３Ｂの端部を各ケーブル固定部１２のケーブル固定面３０（図３）に載せて、結束バンド９Ｂを各ケーブル固定部１２の挿通孔３１に挿通した後、図２に示すように結束バンド９Ｂをケーブル３Ａ、３Ｂの外周面に押し付けてケーブル固定部１２に結束する。
【００３１】
同じくコネクタ４Ａ、４Ｂを固定する際には、図１に示すようにコネクタ４Ａ、４Ｂをコネクタ固定部１１のコネクタ載置面１４（図３）に載置する。そして、結束バンド９Ａを載置部１１Ａの下方空間１６に挿通してコネクタ４Ａ、４Ｂの上方に導き、図２に示すように結束バンド９Ａをコネクタ４Ａ、４Ｂの接続部上面に押し付けて載置部１１Ａに結束する。
【００３２】
第２の方法としては、先にケーブル３Ａ、３Ｂおよびコネクタ４Ａ、４Ｂをコネクタ用固定具１に固定した後でコネクタ用固定具１を基板２等に固定する。
【００３３】
このように本発明においては、１つのコネクタ用固定具１によってコネクタ４Ａ、４Ｂとケーブル３Ａ、３Ｂを固定することができるため、部品点数、組立工数等を削減することができる。また、ケーブル３Ａ、３Ｂとコネクタ４Ａ、４Ｂを固定しているので、ケーブル３Ａ、３Ｂやコネクタ４Ａ、４Ｂに外力が加わってもケーブル３Ａ、３Ｂから剥き出されコネクタ４Ａ、４Ｂに接続されている電線部分５Ａ、５Ｂに曲げ応力や引張り応力が生じることがなく、電線の断線やコネクタのピンのの接触不良を確実に防止することができる。
【００３４】
なお、上記した実施の形態においては、１本の結束バンド９Ａによってコネクタ４Ａ、４Ｂをコネクタ固定部１１に固定した例を示したが、これに限らずコネクタ４Ａ、４Ｂの大きさによっては複数本の結束バンド９Ａによって固定してもよい。
また、本体取付用固定部２０の取付片２１は、延在部１１Ｂの側縁に限らず、図４に二点鎖線で示すようにケーブル固定部１２の一側縁にコネクタ用固定具１の幅方向中心線Ｌからずらして突設されるものであってもよい。
さらに、図２に二点鎖線５０で示すようにコネクタ用固定具１にケーブル３Ａ、３Ｂとコネクタ４Ａ、４Ｂを固定した後、さらにカバーによってケーブル３Ａ、３Ｂとコネクタ４Ａ、４Ｂを被冠してもよく、このようなカバーを用いることにより、外観の体裁を良くすることができる。
【図面の簡単な説明】
【００３５】
【図１】本発明に係るコネクタ用固定具の使用の態様を示すコネクタとケーブルを結束バンドで固定する直前の状態を示す外観斜視図である。
【図２】同じくコネクタとケーブルを結束バンドで固定した状態を示す外観斜視図である。
【図３】コネクタ用固定具の外観斜視図である。
【図４】コネクタ用固定具の平面図である。
【図５】コネクタ用固定具の正面図である。
【図６】コネクタ用固定具の底面図である。
【図７】図４のＡ−Ａ線断面図である。
【図８】コネクタ用固定具を止め具によって基板に固定するときの様子を示す斜視図である。
【図９】コネクタ用固定具を止めねじによって基板に固定するときの様子を示す外観斜視図である。
【図１０】コネクタ用固定具を結束バンドによって装置側取付部に固定した状態を示す外観斜視図である。
【符号の説明】
【００３６】
１…コネクタ用固定具、１Ａ…本体、２…基板、３Ａ、３Ｂ…ケーブル、４Ａ、４Ｂ…コネクタ、５Ａ、５Ｂ…電線部分、６…止め具、９Ａ〜９Ｃ…結束バンド、１１…コネクタ固定部、１１Ａ…載置部、１１Ｂ…延在部、１２…ケーブル固定部、１４…コネクタ載置面、１７…バンド規制子、２０…本体取付用固定部、２１…取付片、２２…挿通孔、３０…ケーブル固定面、３１…挿通孔。
【図１】
2010146888.tif 000003
【図２】
2010146888.tif 000004
【図３】
2010146888.tif 000005
【図４】
2010146888.tif 000006
【図５】
2010146888.tif 000007
【図６】
2010146888.tif 000008
【図７】
2010146888.tif 000009
【図８】
2010146888.tif 000010
【図９】
2010146888.tif 000011
【図１０】
2010146888.tif 000012